【事件の表示】
　平成９年特許願第２０４９２０号「サンプリング周波数変換装置」拒絶査定不服審判事件〔平成１１年２月２６日出願公開、特開平１１−５５０７６〕について、次のとおり審決する。
【結　論】
　本件審判の請求は、成り立たない。
【理　由】
１　手続の経緯・本願発明
　本願は、平成９年７月３０日の出願であって、その特許請求の範囲の請求項１ないし５に係る各発明は、平成１５年８月４日付けの手続補正書によって補正された明細書及び図面の記載からみて、それぞれ上記各請求項に記載されたものと認められるところ、これら発明のうち、請求項１に係る発明（以下、「本願発明」という。）は次のとおりのものである。
「【請求項１】第１のサンプリング周波数の入力サンプリングデータを第２のサンプリング周波数の出力サンプリングデータに変換するサンプリング周波数変換装置において、
　連続した２個の入力サンプルデータ間における前記出力サンプリングデータが生成されるべき補間点の位置を示す第１の補間比を生成する第１の補間比生成手段と、
　前記入力サンプリングデータをオーバサンプリングすることにより得ることができるサンプリングデータのうち前記補間点の前後の各オーバサンプリング点における各サンプリングデータを得るために前記入力サンプルデータに畳み込むべき１対の係数組を生成する係数生成手段と、
　前記第１の補間比に基づいて、前記補間点の直前にあるオーバサンプリング点を基準として当該補間点の位置を示す第２の補間比を生成する第２の補間比生成手段と、
　前記係数生成手段によって生成される１対の係数組を、前記第２の補間比に基づいて直線補間し、１つの係数組を生成する補間手段と、
　前記補間手段によって生成された係数組を前記入力サンプルデータの列に畳み込むことにより、前記補間点に位置すべき出力サンプリングデータを生成する演算手段と
　を具備することを特徴とするサンプリング周波数変換装置。」
　
２　引用刊行物記載の発明
　これに対して、原査定の拒絶の理由に引用された、本願の出願の日前である平成７年８月１８日に頒布された「特開平７−２２１５９８号公報」（以下、「引用例」という。）には、図面とともに次の事項が記載されている。
（１）「【請求項１】入力信号の標本化周波数を任意の標本化周波数に変換する標本化周波数変換装置において、上記入力信号を記憶する記憶手段と、上記記憶手段から読み出された信号を補間処理する補間処理手段と、上記入力信号の標本化周波数と上記任意の標本化周波数との標本化周波数比を検出し、該検出値及び過去の検出値に基づいて新たな標本化周波数比を検出する標本化周波数比検出手段と、上記標本化周波数比検出手段の新たな標本化周波数比に応じて上記記憶手段及び上記補間処理手段を制御する制御手段とを有することを特徴とする標本化周波数変換装置。
【請求項２】  上記標本化周波数比検出手段は、新たな標本化周波数比Ｒn.NEWを、現在の検出値Ｒnの２倍の値２Ｒnから過去の検出値Ｒn-1を減算して、
　Ｒn.NEW＝２Ｒn−１
の式により求めることを特徴とする請求項１記載の標本化周波数変換装置。」
（２）「【請求項５】上記補間処理手段は、上記制御手段により上記記憶手段から読み出された信号に対して上記制御手段から供給される制御信号に応じたオーバーサンプリング処理を施すことにより隣合った二個のオーバーサンプリングデータを求め、さらにこれら二個のオーバーサンプリングデータに直線補間を施すことを特徴とする請求項１記載の標本化周波数変換装置。」
（３）「【０００６】一般に、この標本化周波数変換装置は、標本化周波数Ｆsiで入力された信号を標本化周波数Ｆsoで再標本化するための再標本化点の特定に再標本化時間アドレスを用いている。この再標本化時間アドレスは、入力信号の標本化周波数（以下、入力標本化周波数という。）Ｆsiと再標本化される信号の標本化周波数（以下、出力標本化周波数という。）Ｆsoとの比に応じて生成される。
【０００７】具体的には、入力標本化周波数Ｆsiと出力標本化周波数Ｆsoの標本化周波数比Ｒを、出力標本化周波数Ｆsoの周期（以下、出力標本化周期という。）ＴsoのＮ倍の周期ｔ（＝Ｎ・Ｔso）を入力標本化周波数ＦsiのＭ倍の入力基準クロック（以下、入力マスタークロックという。）ＭＣＫi（＝Ｍ・Ｆsi）で計数することによって、ＦsiやＭＣＫiやＦso等のジッタ成分を平均化し除去しながら検出し、この標本化周波数比Ｒ及び再標本化時間を累積加算して再標本化時間アドレスを生成していた。そして、この再標本化時間アドレスにより、再標本化用バッファメモリ内に格納された再標本化点を読み出すことによって、標本化周波数の変換を行っていた。
【０００８】
【発明が解決しようとする課題】ところで、より高精度な標本化周波数変換すなわち再標本化時間アドレスを用いて再標本化周波数を得るための変換を行うためには、再標本化時間アドレスの分解能を向上することが必要となる。このため、上記倍率Ｎを大きくして入力標本化周波数Ｆsiと出力標本化周波数Ｆsoの標本化周波数比Ｒを検出する検出周期（時間）ｔを増大させることが考えられる。しかし、この場合、入力標本化周波数Ｆsiと出力標本化周波数Ｆsoを可変するような用途においては過度的に標本化周波数比Ｒの値と現実のＦsi／Ｆsoとに誤差が生じてしまうという不都合が生じてしまう。
【０００９】このため、高精度な標本化周波数の変換は、標本化周波数Ｆsiや再標本化周波数Ｆsoが一定であるという条件のもとで実現されていた。
【００１０】また、一定時間継続的に標本化周波数比が変化し続けると再標本化時間アドレスの誤差が累積されてバッファメモリの容量を越えてしまう虞があり、変化速度及び変化量の制限やバッファメモリの増大を招いていた。これは、上述したように入力標本化周波数Ｆsiと出力標本化周波数Ｆsoを可変するような用途においては標本化周波数比Ｒの値と現実のＦsi／Ｆsoとに、図１３に示すように、誤差ΔＲが生じてしまうということによる。
【００１１】一方、上記入力マスタークロックＭＣＫiを高くして上記検出周期ｔの短縮を考慮せず、再標本化時間アドレスの分解能を向上することも考えられる。しかし、この場合、カウンタ等の回路動作速度の限界や入力クロックジッタの吸収除去の問題が持ち上がる。このため単純に上記入力マスタークロックＭＣＫiの周波数を高くして再標本化時間アドレスの分解能を向上させようとしても誤差の減少を可能にできるものの誤差の累積の防止を可能にできなかった。
【００１２】本発明は、上記実情に鑑みてなされたものであり、一定時間継続的に標本化周波数比が変化し続けても再標本化時間アドレスの誤差の累積を発生させず、よってバッファメモリの容量を増大させることなく、かつ、変化速度及び変化量の制限を不要とする標本化周波数変換装置の提供を目的とする。」
（４）「【００３４】次に、第２実施例について図３乃至図５を参照しながら説明する。この第２実施例も図３に示すように、上述した第１実施例と同様に、入力端子１１から入力された信号Ｄsiの標本化周波数Ｆsiを再標本化して任意の標本化周波数Ｆsoの信号Ｄsoに変換する標本化周波数変換装置であり、入出力系が完全に非同期な標本化周波数変換処理、すなわち、入出力信号間に同期関係の無い自由な比率の標本化周波数変換処理を実現する。以下、入力信号Ｄsiの標本化周波数Ｆsiを入力標本化周波数Ｆsiとし、任意の標本化周波数Ｆsoを出力標本化周波数Ｆsoとする。
【００３５】この第２実施例の標本化周波数変換装置は図３に示すように、入力端子１１から入力された入力標本化周波数Ｆsiの入力信号Ｄsiを再標本化用の８Ｆsiにオーバーサンプリング処理する８Ｆsオーバーサンプリングフィルタ１２と、この８Ｆsオーバーサンプリングフィルタ１２で８Ｆsとされた入力信号を書き込むと共に読み出す再標本化用のバッファメモリ１３と、この再標本化用バッファメモリ１３の出力信号を補間する補間処理回路１４と、入力端子２２から供給される標本化周波数Ｆsiの整数倍の入力基準クロック（以下、入力マスタークロックという。）ＭＣＫi（＝Ｍ・Ｆsi）で入力端子２３から供給される標本化周波数Ｆsoの周期（以下、出力標本化周期という。）ＴsoのＮ倍の周期ｔ（＝Ｎ・Ｔso）を計数することによって分解能を向上した現在の標本化周波数比Ｒnを計測し、この現在の標本化周波数比Ｒnと一検出周期前の過去の標本化周波数比Ｒn-1に基づいて新たな標本化周波数比Ｒn.NEWを求める標本化周波数比検出回路２４、この標本化周波数比検出回路２４で検出された新たな標本化周波数比Ｒn.NEWに応じて再標本化用バッファメモリ１３及び補間処理回路１４を制御するコントローラ２５、このコントローラ２５によって補間処理が制御された補間処理回路１４からの出力信号の標本化周波数を間引きし例えば２，４，８倍の出力標本化周波数Ｆsoとすると共に、かつその一をマルチプレクサ１９ａにより切り換え選択する再標本化周波数信号出力回路１９と、この再標本化周波数信号出力回路１９からの出力信号に帯域制限を施し、出力端子２１から出力標本化周波数Ｆsoの出力信号Ｄsoを出力する帯域制限フィルタ２０とを有して成る。
【００３６】８Ｆsオーバーサンプリングシルタ１２で作られた標本化周波数８Ｆsiのディジタル信号は、上述したように再標本化用バッファメモリ１３に入力されるが、この再標本化用バッファメモリ１３は、例えば、２０ビット６４ワードのバッファＲＡＭであり、入力標本化周波数時間の８倍のバッファとなる。
【００３７】標本化周波数比検出回路２４は、図４にその構成を示すように、入力端子２２から供給される入力マスタークロックＭＣＫiにより入力端子２３ａから入力される時間周期ｔでの整数倍の標本化周期Ｎs・Ｔsoを計数するカウンタ３０と、このカウンタ３０からのカウント出力を上記Ｎs・Ｔsoを基にラッチするラッチ３１とを有してなる。
【００３８】カウンタ３０でＮs・Ｔsoを入力マスタークロックＭＣＫiによりカウントし、そのカウント結果をラッチ３１でラッチすることにより、周期ｔsでの現在の標本化周波数比Ｒnが求められることになる。
【００３９】この標本化周波数比検出回路４は、上述した第１実施例の標本化周波数比検出回路７と同様に、現在の標本化周波数比Ｒnの２倍の値から一検出周期前の過去の検出値Ｒn-1を減算して、新たな標本化周波数比Ｒn.NEWを求める。これは、図２に示すように、現在の標本化周波数比Ｒnと過去の検出値Ｒn-1との減算値ΔＲnを現在の標本化周波数比Ｒnに加算することにより、新たな標本化周波数比Ｒn.NEWとしているためである。すなわち、新たな標本化周波数比Ｒn.NEWは、上記（１）式と同様に示される。
【００４０】コントローラ２５は、図４にその構成を示すように、標本化周波数比検出回路２４から供給される新たな標本化周波数比Ｒn.NEWを加算回路３２及びフリップフロップ回路３２を用いて累積加算し、再標本化用バッファメモリ１３のデータ読み出しアドレスを生成している。また、コントローラ２５は、加算回路３２及びフリップフロップ回路３３を用いて、補間処理回路１４へのオーバーサンプリング用の係数を選択制御刷る信号と、先行リーディング用及び後追いトレーリング用の直線補間係数LIP.F.L及びLIP.F.Tを生成している。
【００４１】これらデータ読み出しアドレス、オーバーサンプリング用係数選択制御信号及び直線補間係数は、例えば、一つのデータ列の上位ビット範囲、中位ビット範囲及び下位ビット範囲のデータとして、このコントローラ２５から出力される。
【００４２】ここで、フリップフロップ回路３３は、Ｄフリップフロップ回路であることが好ましく、入力端子３４からは、この第２実施例の出力信号の標本化周波数８Ｆsoに合わせて８Ｆsoのクロックが供給されている。もちろん、出力信号の標本化周波数が４又は２Ｆsoである場合には、４又は２Ｆsoのクロックが供給される。また、入力端子３５からはイニシャライズ信号が供給される。
【００４３】補間処理回路１４は、図３に示すように、上記コントローラ２５から供給されたデータ読み出しアドレスである再標本化時間アドレスにより再標本化用バッファメモリ１３から読み出されたデータにオーバーサンプリング処理を施すと共に、直線補間を施すＦＩＲフィルタ（Ｌ）×LIP.F.L１５及びＦＩＲフィルタ（Ｔ）×LIP.F.T１７と、これらＦＩＲフィルタ（Ｌ）×LIP.F.L１５及びＦＩＲフィルタ（Ｔ）×LIP.F.T１７にオーバーサンプリング用の係数を供給する係数ＲＯＭ１６と、ＦＩＲフィルタ（Ｌ）×LIP.F.L１５の出力信号とＦＩＲフィルタ（Ｔ）×LIP.F.T１７の出力信号とを加算する加算器１８とを有して成る。ここで、係数ＲＯＭ１６は、例えば、２４ビット７ワードのオーバーサンプリング係数を３２個持っている。
【００４４】この補間処理回路１４の動作を図５を参照しながら説明する。再標本化用バッファメモリ１３は、コントローラ２５から供給される読み出しアドレスに基づいてＦＩＲフィルタ（Ｌ）×LIP.F.L１５及びＦＩＲフィルタ（Ｔ）×LIP.F.T１７に図５の（Ａ）に示すようなＴsi／８毎の例えば７個のデータを供給する。ＦＩＲフィルタ（Ｌ）×LIP.F.L１５及びＦＩＲフィルタ（Ｔ）×LIP.F.T１７は、再標本化用バッファメモリ１３から供給された例えば７個のデータに、係数ＲＯＭ１６から読み出した例えば７個の係数を積和演算して、それぞれ２５６Ｆsiのデータを生成する。
【００４５】この２５６Ｆsiのデータの隣合った２つのデータを示すのが図５の（Ｂ）である。図５の（Ａ）、図５の（Ｂ）に示した破線包囲領域Ｅ1は、Ｔsi／８であり、図５の（Ｂ）に示した破線包囲領域Ｅ2は、Ｔsi／２５６間隔の２５６Ｆsiの隣合った２つのデータである。
【００４６】次に、ＦＩＲフィルタ（Ｌ）×LIP.F.L１５及びＦＩＲフィルタ（Ｔ）×LIP.F.T１７は、コントローラ２５から供給される直線補間係数をＴsi／２５６間隔の隣合った２つのデータに乗じてから加算器１８により加算し、図５の（Ｃ）に示すような直線補間を行う。
【００４７】このようなオーバーサンプリングと直線補間を繰り返すことにより、この第２実施例は、図５の（Ｄ）に示すような標本化周波数ＦsoのデータＤsoを生成する。
【００４８】ここで、直線補間係数について説明しておく。直線補間係数としては、リーディング先行データ用係数LIP.F.Lと、トレーリング後追いデータ用係数LIP.F.Tとがある。これらの直線補間係数は、コントローラ２５において、累積加算された値の下位のデータ、例えば１２ビットを用いて生成する。具体的には、トレーリング後追いデータ用係数LIP.F.Tは、下位１２ビットデータ、リーディング先行データ用係数LIP.F.Lは、下位１２ビットの１の補数によって与えられる。
【００４９】図５の（Ｃ）には、破線包囲領域Ｅ3内のＴsi／２５６間隔の２つのデータＤsa、Ｄsbに上記直線補間係数を乗算して得たデータＤsoを示す。
【００５０】補間処理回路１４から出力されるデータは８Ｆsoのデータである。この８Ｆsoのデータは、再標本化周波数信号出力回路１９に供給される。この再標本化周波数信号出力回路１９は、８Ｆsoに間引き処理を施し、４Ｆso又は２Ｆsoに変換し、８Ｆso、４Ｆso又は２Ｆsoのうちの一をマルチプレクサ１９ａで切り換え選択している。
【００５１】帯域制限フィルタ２０は、出力データにエリアシング雑音を発生させないためのフィルタである。第１の標本化周波数ＦSiが出力標本化周波数Ｆsoよりも高いときには、エリアシング雑音が発生する虞があるので、マルチプレクサ１９ａからの出力信号を帯域制限する。
【００５２】したがって、この第２実施例の標本化周波数変換装置は、入力標本化周波数Ｆsiと出力標本化周波数Ｆsoから現在の標本化周波数比Ｒnを計測し、該現在の検出値Ｒn及び過去の検出値Ｒn-1に基づいて新たな標本化周波数比Ｒn.NEWを求め、コントローラ２５に出力している。このため、コントローラ２５は、図２のような誤差の累積することのない値（新たな標本化周波数比Ｒn.NEW）から再標本化時間アドレスを生成することができるので、再標本化用バッファメモリ１３にオーバーフローやアンダーフローを生じさせず、再標本化用バッファメモリ１３の容量を増大させることなく、安定な標本化変換処理を行うことができる。さらに、出力信号となる標本化周波数Ｆsoの出力信号Ｄsoは、エリアシングのない信号となる。」
　
　この記載事項によると、引用例には、「標本化周波数Ｆsiの入力された信号Ｄsiを任意の標本化周波数Ｆsoの信号Ｄsoに変換する標本化周波数変換装置において、
　コントローラ２５は、標本化周波数比検出回路２４から供給される新たな標本化周波数比Ｒn.NEWを加算回路３２及びフリップフロップ回路３２を用いて累積加算し、再標本化用バッファメモリ１３のデータ読み出しアドレスを生成し、
　また、コントローラ２５は、加算回路３２及びフリップフロップ回路３３を用いて、補間処理回路１４へのオーバーサンプリング用の係数を選択制御する信号と、先行リーディング用及び後追いトレーリング用の直線補間係数LIP.F.L及びLIP.F.Tを生成し、これらデータ読み出しアドレス、オーバーサンプリング用係数選択制御信号及び直線補間係数は、一つのデータ列の上位ビット範囲、中位ビット範囲及び下位ビット範囲のデータとして、このコントローラ２５から出力され、
　補間処理回路１４は、ＦＩＲフィルタ（Ｌ）×LIP.F.L１５及びＦＩＲフィルタ（Ｔ）×LIP.F.T１７で、再標本化用バッファメモリ１３から供給された例えば７個のデータに、係数ＲＯＭ１６から読み出した例えば７個の係数を積和演算して、それぞれ２５６Ｆsiのデータを生成し、
　次に、ＦＩＲフィルタ（Ｌ）×LIP.F.L１５及びＦＩＲフィルタ（Ｔ）×LIP.F.T１７で、コントローラ２５から供給される直線補間係数をＴsi／２５６間隔の隣合った２つのデータに乗じてから、ＦＩＲフィルタ（Ｌ）×LIP.F.L１５の出力信号とＦＩＲフィルタ（Ｔ）×LIP.F.T１７の出力信号とを加算器１８により加算し、直線補間を行い、このようなオーバーサンプリングと直線補間を繰り返すことにより、標本化周波数Ｆsoの信号Ｄsoを出力する標本化周波数変換装置。」の発明（以下、「引用発明」という。）が記載されていると認められる。
　
３　対比
　本願発明と引用発明を対比すると、引用発明における「標本化周波数Ｆsi」「入力された信号Ｄsi」「任意の標本化周波数Ｆso」「信号Ｄso」「標本化周波数変換装置」「積和演算」「コントローラ２５」は、それぞれ本願発明における「第１のサンプリング周波数」「入力サンプリングデータ」「第２のサンプリング周波数」「出力サンプリングデータ」「サンプリング周波数変換装置」「畳み込むこと」「係数生成手段」に相当するものと認める。
　また、引用発明の「補間点」が、【図５】（Ａ）〜（Ｄ）に示されるように連続した２個の入力サンプルデータ間の、あるＴｓｉ／２５６の区間（オーバーサンプリング点間）内の点であり、「直線補間係数」は、その２つのオーバーサンプリング点に基づき補間点の位置を示す補間データであることから、引用発明の「データ読み出しアドレス」、「オーバーサンプリング用係数選択制御信号」及び「直線補間係数」は、連続した２個の入力サンプルデータ間における補間点の位置を示す補間データであり、引用発明の「直線補間係数」は、２つのオーバーサンプリング点を基準として当該補間点の位置を示す補間データであることは当業者において明らかである。
　また、引用発明の「先行リーディング用及び後追いトレーリング用の直線補間係数LIP.F.L及びLIP.F.T」は、上記補間点の前後の各オーバーサンプリング点における各サンプルデータを得るために、再標本化用バッファメモリ１３の出力に畳み込むべき１対の係数組であることは当業者において明らかである。
　また、「補間処理回路１４」は、積和演算と加算によって補間点における標本化周波数Ｆsoの信号Ｄsoを出力しているから、引用発明の「補間処理回路１４」と本願発明の「演算手段」とは、補間点に位置すべき出力サンプリングデータを生成するという点で一致している。
　
　したがって、両者は、以下のとおりの一致点及び相違点を有するものと認められる。
　（一致点）
「第１のサンプリング周波数の入力サンプリングデータを第２のサンプリング周波数の出力サンプリングデータに変換するサンプリング周波数変換装置において、
　連続した２個の入力サンプルデータ間における前記出力サンプリングデータが生成されるべき補間点の位置を示す補間データを生成する第１の生成手段と、
　前記入力サンプリングデータをオーバサンプリングすることにより得ることができるサンプリングデータのうち前記補間点の前後の各オーバサンプリング点における各サンプリングデータを得るために畳み込むべき１対の係数組を生成する係数生成手段と、
　前記補間データに基づいて、前記補間点の直前にあるオーバサンプリング点を基準として当該補間点の位置を示す補間データを生成する第２の生成手段と、
　前記補間点に位置すべき出力サンプリングデータを生成する演算手段と
　を具備することを特徴とするサンプリング周波数変換装置。」
　（相違点）
（１）補間点の位置を示すデータが、本願発明では、「第１の補間比」、及び前記「第１の補間比」に基づいて生成される「第２の補間比」であるのに対して、引用発明では、「データ読み出しアドレス」、「オーバーサンプリング用係数選択制御信号」及び「直線補間係数」である点。
（２）演算手段の入力が、本願発明では、入力サンプルデータであるのに対して、引用発明では、再標本化用バッファメモリ１３の出力である点。
（３）出力サンプリングデータを生成するために、本願発明では、１対の係数組を直線補間して生成された係数組を畳み込むのに対して、引用発明では、１対の係数組を畳み込みして生成された一対の出力信号を直線補間する点。
　
４　判断
　上記相違点について検討する。
　相違点（１）
　引用発明においては、直線補間係数をＴsi／２５６間隔の隣合った２つのデータに乗じてから加算器１８により加算し、直線補間を行っているが、Ｔsiとは、標本化周波数Ｆsiの入力された信号の間隔であり、Ｔsi／２５６間隔の隣合った２つのデータとは、標本化周波数Ｆsiの連続した２個の入力サンプルデータをオーバサンプリングすることにより得ることができるデータのうち補間点の前後の各オーバサンプリング点における各データであるから、引用発明の「直線補間係数」は、本願発明の「補間点の直前にあるオーバサンプリング点を基準として当該補間点の位置を示す第２の補間比」に相当するものと認める。
　また、直線補間において、連続した２個の入力データ間における補間点の位置を示す補間比と、他の点を基準として当該補間点の位置を示す第２の補間比との関係は、技術常識である（特開平８−５０５８０号公報の図１の数式等を参照）。
　そうすると、引用発明において、標本化周波数Ｆsiの入力された信号間における補間点（本願発明の「連続した２個の入力サンプルデータ間における前記出力サンプリングデータが生成されるべき補間点」に相当）の位置を示す補間比に基づいて、「直線補間係数」（本願発明の「補間点の直前にあるオーバサンプリング点を基準として当該補間点の位置を示す第２の補間比」に相当）を生成することは当業者が容易になし得ることである。
　相違点（２）
　上記引用例には、高精度な標本化周波数の変換のために、再標本化用バッファメモリ１３の出力に基づいて、出力サンプリングデータが生成されていることから、引用発明において、標本化周波数を変換する際の精度を考慮して、再標本化を省略して、入力サンプルデータを演算手段の入力とすることは当業者が適宜なし得ることと認める。
　相違点（３）
　上記引用例には、係数生成手段によって生成される１対の係数組を、サンプルデータの列に畳み込む手段としてＦＩＲフィルタが記載されており、また、ＦＩＲフィルタとして、各遅延回路の出力（Ｄ１，Ｄ２，Ｄ３，Ｄ４）に対し、乗算器Ｍ１，Ｍ２，Ｍ３，Ｍ４で係数を乗算し、加算器ＡＤでそれぞれを加算して出力する（Ｄ１＊Ｍ１＋Ｄ２＊Ｍ２＋Ｄ３＊Ｍ３＋Ｄ４＊Ｍ４）構成は周知であることから、引用発明において、補間処理回路１４が行う演算はオーバーサンプリングと直線補間であり、本願明細書の段落００２３の記載と同様のものであることは当業者において明らかである。そして、このような畳み込みの係数と直線補間の係数の２つの係数の乗算の順序を入れ替えて、１対の係数組を直線補間して生成された係数組を入力サンプルデータの列に畳み込むことは当業者が適宜なし得ることと認める。
　
　また、本願発明の効果についてみても、上記構成の採用に伴って当然に予測される程度のものにすぎず、格別顕著なものがあるとは認められない。
　
５　むすび
　以上のとおり、本願発明は、引用発明に基づいて当業者が容易に発明をすることができたものであるから、特許法第２９条第２項の規定により特許を受けることができない。
　よって、結論のとおり審決する。